(57)【要約】【課題】インシュレータに巻かれる巻線の占積率を高める技術を提供すること。【解決手段】インシュレータ（２０）の巻付け部（９０）は、コイルを保持可能な保持面（１０７）に対して直交して、かつ、巻線（４３）を内径方向に案内する第２の案内面（５２）と周方向に同じ側の側面（９１）と、側面（９１）と直交している端面（９４）と、を有している。モータ用ステータ（１０）の軸方向（Ｃ）から見て、保持面（１０７）及び側面（９１）の境界に構成された第１の角（１１１）は、第１の案内面（５１）及び第２の案内面（５２）の境界に構成された第２の角（１１２）よりも、第１の案内面（５１）による案内方向側（Ｆ）に位置している。巻線（４３）は、第２の角（１１２）から第１の角（１１１）へ向かって延びている。【選択図】図５
2020162318.tif 000002
【特許請求の範囲】
【請求項１】
コアと、このコアを覆っているインシュレータと、このインシュレータに巻かれている巻線により構成されるコイルと、を有している、モータ用ステータにおいて、
前記コアは、環状のヨークと、このヨークから前記モータ用ステータの内径方向に延びているティースと、を有し、
前記インシュレータは、前記ヨークを覆っている環状部と、前記ティースを覆っていると共に前記巻線が巻き付けられている巻付け部と、前記環状部から前記モータ用ステータの軸方向に延出している延出部と、を有し、
前記環状部の内周面は、前記コイルの端部と当接して前記コイルの形状を保持可能な保持面を有しており、
前記延出部は、前記モータ用ステータの周方向に前記巻線を案内する第１の案内面と、この第１の案内面に隣接して前記巻線を前記第１の案内面から前記巻付け部へ向けて案内する第２の案内面と、を有し、
前記巻付け部は、前記第２の案内面と周方向に同じ側の側面と、この側面と直交している端面と、を有しており、
前記モータ用ステータの軸方向から見て、前記保持面及び前記側面の境界に構成された第１の角は、前記第１の案内面及び前記第２の案内面の境界に構成された第２の角よりも、前記第１の案内面による案内方向側に位置しており、
前記巻線は、前記第２の角から前記第１の角へ向かって延びている、ことを特徴とする、モータ用ステータ。
【請求項２】
前記第２の案内面は、前記巻付け部の前記側面と平行であり、
前記第２の案内面から前記側面までの前記周方向の寸法は、前記巻線の線径の半分よりも大きく、かつ、前記端面の周方向の半分の寸法から前記線径に相当する分を除いた寸法よりも小さい、ことを特徴とする請求項１に記載のモータ用ステータ。
【発明の詳細な説明】
【技術分野】
【０００１】
本発明は、外周側から内径方向に引き込まれた巻線により構成されているコイルを有するモータ用ステータに関する。
【背景技術】
【０００２】
モータ用ステータは、コアと、コアに取り付けられているインシュレータと、インシュレータに巻き付けられている巻線と、を有している。モータ用ステータにおける従来技術として特許文献１に開示される技術がある。
【０００３】
特許文献１のモータ用ステータでは、６個のコアが、周方向に配置されている。各々のコアに対して取り付けられているインシュレータ（ボビン）は、モータ用ステータの径方向に延びて巻線が巻き付けられる複数の巻付け部と、複数の巻付け部の外径側の端部に設けられている単一の環状部と、各々の巻付け部の内径側の端部に設けられている鍔部と、を有している。
【０００４】
鍔部は、巻線の巻き始めの部位である。巻線が、鍔部から環状部の内周面に向かって巻付け部に巻き付けられることにより、１段目の巻線が構成される。次に、巻線が、環状部の内周面側から鍔部に向かって巻付け部に巻き付けられることにより、２段目の巻線が構成される。同様にして、巻線が鍔部と環状部との間を繰り返し往復して巻付け部に巻き付けられることにより、コイルが構成される。
【先行技術文献】
【特許文献】
【０００５】
【特許文献１】特開２０１４−２３６６５１号公報
【発明の概要】
【発明が解決しようとする課題】
【０００６】
モータ用ステータには、１段目の巻線が外径側から内径側へ向かって巻付け部に巻き付けられることにより、コイルが構成されるものがある。コイルを構成する１段目の巻線を巻付け部に密着して巻き付けることができれば、１段目の巻線に重ねて巻き付けられる２段目以降の巻線も互いに密着する。結果、コイルの形状を崩れることなく維持することができ、巻付け部に巻かれる巻線の占積率も高まる。
【０００７】
本発明は、インシュレータに巻かれる巻線の占積率を高める技術の提供を課題とする。
【課題を解決するための手段】
【０００８】
請求項１よれば、コアと、このコアを覆っているインシュレータと、このインシュレータに巻かれている巻線により構成されるコイルと、を有している、モータ用ステータにおいて、
前記コアは、環状のヨークと、このヨークから前記モータ用ステータの内径方向に延びているティースと、を有し、
前記インシュレータは、前記ヨークを覆っている環状部と、前記ティースを覆っていると共に巻線が巻き付けられている巻付け部と、前記環状部から前記モータ用ステータの軸方向に延出している延出部と、を有し、
前記環状部の内周面は、前記コイルの端部と当接して前記コイルの形状を保持可能な保持面を有しており、
前記延出部は、前記モータ用ステータの周方向に巻線を案内する第１の案内面と、この第１の案内面に隣接して前記巻線を前記第１の案内面から前記巻付け部へ向けて案内する第２の案内面と、を有し、
前記巻付け部は、前記第２の案内面と周方向に同じ側の側面と、この側面と直交している端面と、を有しており、
前記モータ用ステータの軸方向から見て、前記保持面及び前記側面の境界に構成された第１の角は、前記第１の案内面及び前記第２の案内面の境界に構成された第２の角よりも、前記第１の案内面による案内方向側に位置しており、
前記巻線は、前記第２の角から前記第１の角へ向かって延びている、ことを特徴とする、モータ用ステータが提供される。
【０００９】
請求項２に記載のごとく、好ましくは、前記第２の案内面は、前記巻付け部の前記側面と平行であり、
前記第２の案内面から前記側面までの前記周方向の寸法は、前記巻線の線径の半分よりも大きく、かつ、前記端面の周方向の半分の寸法から前記線径に相当する分を除いた寸法よりも小さい。
【発明の効果】
【００１０】
請求項１では、インシュレータは、コアのヨークを覆っている環状部と、コアのティースを覆っていると共に巻線が巻き付けられている巻付け部と、環状部からモータ用ステータの軸方向に延出している延出部と、を有している。環状部の内周面は、コイルの端部と当接してコイルの形状を保持可能な保持面を有している。
【００１１】
延出部は、モータ用ステータの周方向に巻線を案内する第１の案内面と、第１の案内面に隣接して巻線を第１の案内面から巻付け部へ向けて案内する第２の案内面と、を有している。保持面と巻付け部の側面との境界を第１の角とする。第１の案内面と第２の案内面との境界を第２の角とする。第１の角は、第２の角よりも第１の案内面による案内方向側に位置している。
【００１２】
そのため、巻線を内径方向に引き込む際に、巻線を延出部に接触させずに第２の角から第１の角に向けて巻線を延ばすことができる。巻線を巻付け部に巻き始める際、巻線を、保持面のみならず、巻付け部の側面にも接触させることができる。即ち、コイルを構成する１段目の巻線の巻き始めの部位を巻付け部に密着させることができ、１段目の巻線が全体として巻付け部に確実に巻き付くこととなる。結果として、巻線の占積率が向上する。
【００１３】
請求項２では、インシュレータの延出部の第２の案内面は、巻付け部の側面と平行であり、第２の案内面から前記側面までの周方向の寸法は、巻線の線径の半分よりも大きく、かつ、巻付け部の端面の周方向の半分の寸法から巻線の線径に相当する分を除いた寸法よりも小さい。そのため、このような所定の寸法とすることで、コイルを構成するために引き込まれた巻線と、コイルから引き出された巻線とが、干渉することを防止する。
【図面の簡単な説明】
【００１４】
【図１】図１（ａ）は、実施例１によるモータ用ステータの斜視図である。図１（ｂ）は、図１（ａ）のｂ矢視図である。
【図２】図１（ａ）に示されたモータ用ステータ分解斜視図である。
【図３】図３（ａ）は、図１に示されたインシュレータの延出部を説明する図である。図３（ｂ）は、図３（ａ）のｂ−ｂ線断面図である。
【図４】図１（ａ）に示されたモータ用ステータの延出部及び巻付け部を説明する図である。
【図５】図５（ａ）は、図４に示された延出部及び巻付け部を説明する図である。図５（ｂ）は、図５（ａ）のｂ部拡大図である。
【図６】図１（ａ）に示されたステータ本体を封止部材により封止をする工程を説明する図である。
【図７】モータ用ステータが金型に載置された状態における、モータ用ステータ本体と金型のピンとの構成について説明する図である。
【図８】封止部材により封止されたモータ用ステータの外部ターミナル周辺の斜視図である。
【図９】図８に示されたモータ用ステータの平面図である。
【図１０】実施例１の効果について説明する図である。
【図１１】図１１（ａ）は、実施例２によるモータ用ステータの延出部及びターミナルを説明する図である。図１１（ｂ）は、図１１（ａ）に示された延出部及びターミナルを軸方向に沿って見た図である。
【発明を実施するための形態】
【００１５】
実施例を添付図に基づいて以下に説明する。なお、説明中、内径方向、外径方向、周方向、及び、軸方向（上下方向）は、モータ用ステータの中心線Ｃが基準となる。同一形状の部位に付される符号は、一部省略する。
【００１６】
＜実施例１＞
図１（ａ）及び図２を参照する。モータ用ステータ本体１０は、例えば、乗用車のパワーステアリングやコンプレッサ、電動ポンプなどに内蔵される。モータ用ステータ本体１０は、積層された多数の電磁鋼板からなるコア１１と、このコア１１の上側を覆っている第１のインシュレータ２０と、コア１１の下側を覆っている第２のインシュレータ３０と、第１のインシュレータ２０及び第２のインシュレータ３０に設けられた第１のコイルＵ１、Ｖ１、Ｗ１、第２のコイルＵ２、Ｖ２、Ｗ２、第３のコイルＵ３、Ｖ３、Ｗ３と、第１のインシュレータ２０に取り付けられている第１の内部ターミナル１５〜第３の内部ターミナル１７と、を有している。第１の内部ターミナル１５〜第３の内部ターミナル１７は、回路基板（不図示）と接続される。このモータ用ステータ本体１０は、封止部材により封止される。封止工程については、後述する。
【００１７】
図２を参照する。コア１１は、環状のヨーク１２と、ヨーク１２から内径方向に延びている９つのティース１３と、有している。各々のティース１３の先端部１３ａは、内径方向に向かうに連れて周方向に幅が広がっている。ヨーク１２は、外径方向に突出した外縁部１２ａを有している。
【００１８】
第１のインシュレータ２０は、ヨーク１２の上側を覆うことが可能な第１の環状部２１と、各々のティース１３の上半分を覆うことが可能な９個の第１の巻付け部２２と、第１の環状部２１の上面２１ｃから軸方向に沿って上方に延出し周方向に断続的に設けられた９個の第１の長壁部２３（延出部）と、隣接する第１の長壁部２３同士の間に設けられ第１の長壁部２３よりも周方向の寸法が短い９個の第１の短壁部２４と、を有している。
【００１９】
第２のインシュレータ３０は、ヨーク１２の下側を覆うことが可能な第２の環状部３１と、各々のティース１３の下側を覆うことが可能な９個の第２の巻付け部３２と、第２の環状部３１から軸方向に沿って下方に延出している９個の第２の壁部３３と、を有している。
【００２０】
図１（ｂ）を参照する。９個の第１の長壁部２３のなかには、他の第１の長壁部２３よりも中心線Ｃ方向の寸法が長い、第１の長壁部１２３が１個設けられている。同様に、９個の第１の短壁部２４のなかには、他の第１の短壁部２４よりも中心線Ｃ方向の寸法が長い、第１の短壁部１２４が１個設けられている。第１の長壁部１２３と、第１の短壁部１２４とは、隣接しており、互いの寸法は等しい。第１の長壁部１２３及び第１の短壁部１２４の高さＨ１は、他の長壁部２３及び短壁部２４の高さＨ２よりも高い（Ｈ１＞Ｈ２）。
【００２１】
第１の長壁部１２３及び第１の短壁部１２４は、周方向に互いに隣接するヨーク１２の外縁部１２ａ、１２ａの周方向略中央に位置している。
【００２２】
以下、第１のインシュレータ２０のなかの、コイルＵ３の外径側に位置している第１の長壁部２３の構成について説明する。
【００２３】
図３（ａ）を参照する。第１の長壁部２３は、周方向に３本の巻線４０を案内している第１の案内面５１（案内面）と、３本のうち１本の巻線４０を内径方向に案内している第２の案内面５２と、を有している。第２の案内面５２は、第１の案内面５１に隣接して巻線４０を第１の案内面５１から後述する巻付け部９０に向けて案内する面である。
【００２４】
３本の巻線４０のうち、上下２本の巻線４０、４０は、コイルＵ１〜コイルＷ３（図１（ａ）参照）のなかの、一のコイルから引き出され、他のコイルに向かう際に第１の案内面５１に案内されている２本の渡り線４１、４２である。渡り線４１、４２の間に位置している巻線４０は、コイルＵ１〜コイルＷ３のなかの、一のコイルから引き出され、第１の案内面５１に案内され、第２の案内面５２から内径方向に引き込まれて、コイルＵ３を構成している巻付け線４３である。
【００２５】
第１の案内面５１の上端５１ａには、外径方向に突出している第１の突出部６０と、第２の突出部７０とが設けられている。第１の突出部６０の周方向の寸法は、例えば、第１の案内面５１の周方向の寸法の３分の１程度である。第１の突出部６０と第２の突出部７０との間隔は、例えば、第１の案内面５１の周方向の寸法の３分の１程度である。なお、突出部の数は、１つでもよく、３つ以上あってもよい。
【００２６】
第１の突出部６０の下方において、環状部２１に第１の溝２１ａが形成されている。第２の突出部７０の下方において、環状部２１に第２の溝２１ｂが形成されている。
【００２７】
図３（ａ）及び図３（ｂ）を参照する。第１の突出部６０は、直方体状の本体部６１と、本体部６１の外径側の先端６１ａから下方に延びている凸部６２と、を有する。本体部６１と凸部６２は、一体に形成されている。第１の突出部６０の上面６０ａは、第１の長壁部２３の上面２３ａと、同一面上に位置している。
【００２８】
第１の突出部６０の下面６３は、第１の案内面５１に案内されている３本の巻線４０と当接可能な当接面である。下面６３は、第１の長壁部２３が延びている上方向に対して、反対方向である下を向いている面である。詳細には、下面６３は、上方に膨らむように湾曲している湾曲部６４と、この湾曲部６４よりも外径側に位置している平面部６５と、を有している。
【００２９】
湾曲部６４は、最上点Ｐから外径方向に向かうに連れて下方へ下がる外側傾斜部６６と、最上点Ｐから内径方向に向かうに連れて下方へ下がる内側傾斜部６７と、を有している。外側傾斜部６６は、断面円状の巻線４０のなかの、外径側の半円部４０ａに当接可能な面である。
【００３０】
なお、巻線４０は、断面形状が円であるものに限られず、断面が多角形のものであってもよい。さらに、湾曲部６４は、図３（ｂ）に示されるように、巻線４０を両側から挟み込んで保持できる構成であってもよいし、巻線４０の両端に接触せずに、巻線４０を収容するような構成であってもよい（図示なし）。
【００３１】
さらに、本実施例では、下面６３は、湾曲部６４と、平面部６５との２つの面により構成されているが、例えば、下面６３は、第１の案内面５１から外径方向に向かうに連れて下方へ下がる１つの平面であってもよい。
【００３２】
第２の突出部７０は、第１の突出部６０と同一の大きさ及び形状で構成されており、３本の巻線４０と当接可能な下面７３を有している。第２の突出部７０の他の構成の説明は省略する。第１の突出部６０及び第２の突出部７０は、図１（ａ）に示された他の第１の長壁部２３にも同様に設けられている。
【００３３】
図４を参照する。次に、コイルＵ３が設けられている部位について説明する。第１のインシュレータ２０の第１の巻付け部２２及び第２のインシュレータ３０の第２の巻付け部３２は、巻付け線４３（図３参照）が巻き付けられる巻付け部９０を構成している。
【００３４】
第１の巻付け部２２と、第２の巻付け部３２とは、それぞれ、Ｕ字の断面形状を呈している。第１の巻付け部２２の開口側の先端２２ａと、第２の巻付け部３２の開口側の先端３２ａは、互いに対向していると共に、わずかに離れている。
【００３５】
なお、実施例では、２つの巻付け部２２、３２を組み合わせているが、例えば、コア１１（図２参照）の形状によっては、ティース１３に差し込み可能な単体の巻付け部を構成しても良い。
【００３６】
第１の巻付け部２２の上面２６と、この上面２６の両端から下方に延びている一対の第１の右面２７、第１の左面２８とは、巻付け線４３が接触する面である。同様に、第２の巻付け部３２の下面３６と、この下面３６の両端から上方に延びている一対の第２の右面３７、第２の左面３８とは、巻付け線４３が接触する面である。
【００３７】
以下、説明の便宜上、第１の右面２７及び第２の右面３７を含む面を、第１の巻付け面９１（側面）とする。同様に、下面３６を、第２の巻付け面９２とし、第１の左面２８及び第２の左面３８を含む面を、第３の巻付け面９３（側面）とし、上面２６を、第４の巻付け面９４（端面）とする。第１の巻付け面９１と、第３の巻付け面９３は、互いに周方向に反対を向いている。第１の巻付け面９２は、下方を向いている。第４の巻付け面９４は、上方を向いている。巻付け線４３は、第１の巻付け面９１〜第４の巻付け面９４の順に巻き付けられる。
【００３８】
巻付け部９０を構成する第１の巻付け面９１〜第４の巻付け面９４の境界には、それぞれ、巻付け線４３の巻き付けを案内することが可能な案内溝９５が設けられている。
【００３９】
図４及び図５（ａ）を参照する。環状部２１の内周面２１ｄは、コイルＵ３の外径側の端部と当接してコイルＵ３の形状を保持可能な保持面１００を有している。この保持面１００は、平坦に構成されている。
【００４０】
保持面１００は、第１の右面２７と直交している第１の右保持面１０１と、第２の右面３７と直交している第２の右保持面１０２と、下面３６と直交している下保持面１０３と、第２の左面３８と直交している第２の左保持面１０４と、第１の左面２８と直交している第１の左保持面１０５と、上面２６と直交している上保持面１０６と、から構成されている。
【００４１】
上保持面１０６は、第１の長壁部２３の第１の案内面５１の反対側の面でもある。第１の右保持面１０１と、第２の右保持面１０２とを含む面を右保持面１０７とする。第１の左保持面１０５と、第２の左保持面１０４とを含む面を左保持面１０８とする。
【００４２】
図５（ｂ）を参照する。右保持面１０７及び第１の巻付け面９１（側面）の境界を第１の角１１１とする。第１の案内面５１及び第２の案内面５２の境界を第２の角１１２とする。第１の角１１１は、第２の角１１２よりも、時計回り方向側（第１の案内面５１による案内方向側、矢印Ｆ（図５（ａ））参照）に位置している。
【００４３】
第２の案内面５２は、第１の巻付け面９１と平行である。第２の案内面５２から第１の巻付け面９１までの周方向の寸法Ｌは、巻付け線４３の線径Ｄに等しい。
【００４４】
コイルＵ３を構成する巻付け線４３の巻付けについて説明する。第１の案内面５１に沿って時計回りに案内された巻付け線４３は、第２の角１１２を基点にして巻付け部９０に向かって内径方向に折り曲げられる。折り曲げられた巻付け線４３は、第１の角１１１に向かって引き込まれ、第１の角１１１を基点にさらに下方に折り曲げられる。その後、巻付け線４３は、第１の巻付け面９１〜第４の巻付け面９４の順に巻き付けられていく。
【００４５】
図６を参照する。モータ用ステータ本体１０は、樹脂製の封止部材により封止される。
最初に、封止工程に用いられる金型１９０について説明する。
【００４６】
モータ用ステータ本体１０が載置される金型１９０のキャビティは、円柱状を呈する。金型１９０の底部１９１には、底部１９１から上方に突出した９個の凸部１９２が周方向に互いに間隔を空けて設けられている。各々の凸部１９２は、第１のインシュレータ２０の内径側の先端部２２ａ（図２参照）を支持可能である。
【００４７】
さらに、底部１９１には、金型１９０の内周面１９３に沿って、上方に延びる４つの柱部１９４が周方向に互いに間隔を空けて設けられている。各々の柱部１９４は、ヨーク１２の外縁部１２ａを支持可能である。
【００４８】
さらに、底部１９１には、封止部材の一部を肉抜きするための第１のピン１９６〜第３のピン１９８が設けられている。
【００４９】
次に、この金型１９０によるモータ用ステータ本体１０の封止工程を説明する。最初に、金型１９０の底部１９１に、第１の外部ターミナル１３１〜第４の外部ターミナル１３４を載置する。互いに隣接する第１の外部ターミナル１３１〜第４の外部ターミナル１３４の間には、第１のピン１９６〜第３のピン１９８が、それぞれ位置する。
【００５０】
次に、第１のピン１９６〜第３のピン１９８の先端と、第１のインシュレータ２０の第１の長壁部１２３及び第１の短壁部１２４とが対向するように、モータ用ステータ本体１０を金型１９０に載置する。その後、金型１９０のキャビティに樹脂を充填させて封止する。
【００５１】
図７を参照する。モータ用ステータ本体１０を金型１９０に載置した時に、第１の長壁部１２３の先端面１２５は、第２のピン１９７、第３のピン１９８に当接する。第１の短壁部１２４の先端面１２６は、第１のピン１９６に当接する。即ち、金型１９０にモータ用ステータ本体１０を載置すると、モータ用ステータ本体１０は、第１のピン１９６〜第３のピン１９８に支持される。
【００５２】
図８及び図９には、モータ用ステータ本体１０が封止部材１１１により封止されて構成されたモータ用ステータ１０Ａの一部が示されている。
【００５３】
封止部材１１１は、互いに隣接する第１の外部ターミナル１３１〜第４の外部ターミナル１３４の間に、第１の肉抜き穴１７１〜第３の肉抜き穴１７３を有している。第１の肉抜き穴１７１〜第３の肉抜き穴１７３は、四角柱状を呈し、モータ用ステータ本体１０の中心線Ｃに沿って延びている。
【００５４】
第１の肉抜き穴１７１は、封止工程の際に第１のピン１９６（図７参照）が占有していた領域に相当する。第２の肉抜き穴１７２は、封止工程の際に第２のピン１９７が占有していた領域に相当する。第３の肉抜き穴１７３は、封止工程の際に第３のピン１９８が占有していた領域に相当する。
【００５５】
第１の肉抜き穴１７１の第１の底部１７５は、一部が貫通しており、第１の貫通穴１８１を有する。第１の貫通穴１８１は、第１の短壁部１２４の先端面１２６によって塞がれている。
【００５６】
同様に、第２の肉抜き穴１７２の第２の底部１７６は、一部が貫通しており、第２の貫通穴１８２を有する。第３の肉抜き穴１７３の第３の底部１７７は、一部が貫通しており、第３の貫通穴１８３を有する。この第２の貫通穴１８２及び第３の貫通穴１８３は、第１の長壁部１２３の先端面１２５によって塞がれている。
【００５７】
換言すると、第１の貫通穴１８１からは、先端面１２６の一部である露出部１２６ａが露出している。第２の貫通穴１８２からは、先端面１２５の一部である露出部１２５ａが露出している。第３の貫通穴１８３からは、先端面１２５の一部である露出部１２５ｂが露出している。
【００５８】
次に、実施例１の効果について説明する。
【００５９】
図１０（ａ）を参照する。比較例のモータ用ステータでは、第１の角２０１は、第２の角２０２よりも、反時計回り方向側（矢印Ｒ参照）に位置している。そのため、巻線２０３を巻付け部２０５に巻き始める際、巻線２０３は、第２の案内面２０６と上保持面２０７との角２０８に接触する。コイル２０９を構成する１段目の巻線の巻き始めの部位２０９ａを第１の巻付け面２０５ａに密着させることができず、巻線２０３と第１の巻付け面２０５ａとの間に隙間ＣＬが生じてしまう。
【００６０】
図１０（ｂ）を参照する。実施例１のモータ用ステータ本体１０では、第１の角１１１は、第２の角１１２よりも、時計回り方向側（矢印Ｆ参照）に位置している。そのため、巻付け線４３を内径方向に引き込み、第２の角１１２から第１の角１１１に向けて巻付け線４３を延ばす際に、巻付け線４３と第１の長壁部２３との接触を避けられる。その後、巻付け線４３を巻付け部９０に巻き始める際、巻付け線４３を、右保持面１０７のみならず、第１の巻付け面９１にも接触させることができる。即ち、コイルＵ３を構成する１段目の巻付け線４３の巻き始めの部位を、巻付け部９０に対して密着させることができ、１段目の巻付け線４３が全体として巻付け部９０に確実に巻き付くこととなる。結果として、巻付け線４３の占積率が向上する。
【００６１】
図５（ｂ）を参照する。第２の案内面５２から第１の巻付け面９１までの周方向の寸法Ｌは、巻付け線４３の線径Ｄに等しい。なお、この寸法Ｌは、巻付け線４３の線径Ｄの半分より大きく、かつ、巻付け方向についての第４の巻付け面９４（端面）の幅（周方向の寸法）Ｗｄの半分から線径Ｄに相当する分を除いた寸法よりも小さいことが望ましい。このような所定の寸法とすることで、コイルＵ３から引き出された引出し線４４（図３（ａ）参照）と、巻付け線４３とが、干渉することを防げる。
【００６２】
＜実施例２＞
図１１（ａ）及び図１１（ｂ）を参照する。次に、実施例２について説明する。実施例１と比較すると、実施例２では、第１の長壁部２３Ａと、内部ターミナル８０が異なる。
【００６３】
第１の長壁部２３Ａの周方向の寸法は、実施例１の第１の長壁部２３の周方向の寸法よりも大きい。具体的には、第１の長壁部２３Ａの周方向の寸法は、第１のインシュレータ２０の環状部２１（図２参照）を周方向に９分割した部位の周方向の寸法に略等しい。実施例１と同一の構成については説明を省略し、符号を流用する。
【００６４】
第１の長壁部２３Ａは、２つの巻線４０を周方向に案内している第１の案内面５１Ａと、第１の案内面５１Ａの周方向両端から内径方向に延びている第２の案内面５２Ａ、第３の案内面５３Ａと、を有している。第２の案内面５２Ａ及び第３の案内面５３Ａは、巻線４０を内径方向に案内する案内面である。
【００６５】
第１の案内面５１Ａは、第１の突出部６０（一方の突出部）と、第２の突出部７０（他方の突出部）を有している。第１の案内面５１Ａに案内されている２本の巻線４０のうち、直線状に延びている線を渡り線４５とし、一部が湾曲して内部ターミナル８０に接続されている線を接続線４６とする。
【００６６】
内部ターミナル８０は、径方向の寸法が薄い薄板状を呈しており、矩形状の本体部８１と、本体部８１の下部から下方に延びて第１の長壁部２３Ａの上面２３Ａａに差し込まれている２本の差込部８２と、２本の差込部８２の間に位置して本体部６１の下部から上方に向かって折り返される折り返し部８３と、有している。
【００６７】
折り返し部８３は、接続線４６を挟み込むことにより接続線４６と電気的に接続している挟み込み部８４（接続部）を有している。接続手法として、例えば、ヒュージングを採用できる。
【００６８】
接続線４６は、第１の突出部６０の下面６３と、挟み込み部８４と、第２の突出部７０の下面７３とに当接している。詳細には、接続線４６は、第１の突出部６０から挟み込み部８４の間を斜めに延びている第１の傾斜部４７と、挟み込み部８４において上面２３Ａａと平行に延びている平行部４８と、折り返し部８３の下部から第２の突出部７０の間を斜めに延びている第２の傾斜部４９と、を有している。
【００６９】
挟み込み部８４は、第１の突出部６０と第２の突出部７０との周方向で間に位置しており、第２の突出部７０側に寄っている。なお、挟み込み部８４は、第１の突出部６０と第２の突出部７０との間の領域内に位置する場合に限られず、領域の外径側又は内径側にはみでるように位置してもよい。
【００７０】
なお、本発明の作用及び効果を奏する限りにおいて、本発明は、実施例に限定されるものではない。
【符号の説明】
【００７１】
１０…モータ用ステータ本体（モータ用ステータ）
１１…コア
１２…ヨーク
２０…第１のインシュレータ
２１…第１の環状部
２３…第１の長壁部（延出部）、２３ａ…先端面
４０…巻線
５１…第１の案内面
５２…第２の案内面
９０…巻付け部
９１…第１の巻付け面（側面）
９４…第４の巻付け面（端面）
１００…保持面
１０７…右保持面
１１１…第１の角
１１２…第２の角
Ｄ…巻線の線径
Ｗｄ…端面の周方向の寸法
Ｕ１〜Ｗ３…コイル
【図１】
2020162318.tif 000003
【図２】
2020162318.tif 000004
【図３】
2020162318.tif 000005
【図４】
2020162318.tif 000006
【図５】
2020162318.tif 000007
【図６】
2020162318.tif 000008
【図７】
2020162318.tif 000009
【図８】
2020162318.tif 000010
【図９】
2020162318.tif 000011
【図１０】
2020162318.tif 000012
【図１１】
2020162318.tif 000013